【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
所定数の画像を視認可能に印刷処理する印刷手段を備えた印刷装置の印刷動作を制御する印刷制御装置であって、
前記画像に対する印刷指定を設定する印刷設定手段と、
前記印刷設定手段により設定された印刷指定を行うための電源の状態を検出する電源状態検出手段と、
前記電源状態検出手段で検出された電源の状態に基づいて、前記印刷設定手段で設定された印刷指定を完了できるか否かを判定する印刷完了判定手段と、
前記印刷完了判定手段による判定の結果、前記電源の状態が、前記印刷設定手段で設定された印刷指定を完了できると判定された場合に、前記印刷装置に前記画像の印刷処理を開始させる制御手段とを有することを特徴とする印刷制御装置。
【請求項２】
前記印刷完了判定手段による判定の結果、前記電源の状態が、前記印刷設定手段で設定された印刷指定を完了できないと判定された場合に、前記印刷設定手段で設定された印刷指定のうち、完了できる印刷指定に自動的に再設定する自動再設定手段を更に有することを特徴とする請求項１に記載の印刷制御装置。
【請求項３】
前記印刷完了判定手段による判定の結果、前記電源の状態が、前記印刷設定手段で設定された印刷指定を完了できないと判定された場合に、前記印刷設定手段で設定された印刷指定のうち、完了できる印刷指定の範囲内で印刷指定の再設定を要求する再設定要求手段を更に有することを特徴とする請求項１に記載の印刷制御装置。
【請求項４】
前記印刷完了判定手段による判定の結果、前記電源の状態が、前記印刷設定手段で設定された印刷指定を完了できないと判定された場合に、前記印刷設定手段で設定された印刷指定のうち、完了できない印刷指定の印刷ジョブを作成する印刷ジョブ作成手段と、
前記印刷ジョブ作成手段で作成された印刷ジョブを記憶媒体に記憶する印刷ジョブ記憶手段とを更に有することを特徴とする請求項１乃至３のいずれか１項に記載の印刷制御装置。
【請求項５】
前記印刷装置の印刷方式を取得する印刷方式取得手段と、
前記印刷方式取得手段により取得された印刷方式と、前記印刷設定手段により設定された印刷指定とに基づいて、所定数の画像を印刷するのに必要な処理内容を決定する処理内容決定手段とを更に有し、
前記印刷完了判定手段は、前記電源状態検出手段で検出された電源の状態と、前記処理内容決定手段で決定された処理内容とに基づいて、前記電源の状態が、前記印刷設定手段で指定された印刷指定を完了できるか否かを判定することを特徴とする請求項１乃至４のいずれか1項に記載の印刷制御装置。
【請求項６】
前記印刷設定手段により設定された印刷指定の設定内容を取得する設定内容取得手段と、
前記設定内容取得手段により取得された印刷指定の設定内容に基づいて、所定数の画像を印刷するのに必要な処理内容を決定する処理内容決定手段とを更に有し、
前記印刷完了判定手段は、前記電源状態検出手段で検出された電源の状態と、前記処理内容決定手段で決定された処理内容とに基づいて、前記電源の状態が、前記印刷設定手段で設定された印刷指定を完了できるか否かを判定することを特徴とする請求項１乃至４のいずれか1項に記載の印刷制御装置。
【請求項７】
前記印刷完了判定手段は、前記電源状態検出手段で検出された電源の状態に基づいて、前記印刷設定手段で設定された印刷指定のうち１枚以上の印刷が可能であるか否かを判定し、１枚以上の印刷が可能であると判定された場合に、前記自動再設定手段により完了できる印刷指定に自動的に再設定することを特徴とする請求項２に記載の印刷制御装置。
【請求項８】
前記印刷完了判定手段は、前記電源状態検出手段で検出された電源の状態に基づいて、前記印刷設定手段で設定された印刷指定のうち１枚以上の印刷が可能であるか否かを判定し、１枚以上の印刷が可能であると判定された場合に、前記再設定要求手段により完了できる印刷指定の範囲内で印刷指定の再設定を要求することを特徴とする請求項３に記載の印刷制御装置。
【請求項９】
所定数の画像を視認可能に印刷処理する印刷手段を備えた印刷装置の印刷動作を制御する印刷制御方法であって、
前記画像に対する印刷指定を設定する印刷設定ステップと、
前記印刷設定ステップにより設定された印刷指定を行うための電源の状態を検出する電源状態検出ステップと、
前記電源状態検出ステップで検出された電源の状態に基づいて、前記印刷設定ステップで設定された印刷指定を完了できるか否かを判定する印刷完了判定ステップと、
前記印刷完了判定ステップによる判定の結果、前記電源の状態が、前記印刷設定ステップで設定された印刷指定を完了できると判定された場合に、前記印刷装置に前記画像の印刷処理を開始させる制御ステップとを有することを特徴とする印刷制御方法。
【請求項１０】
前記印刷装置の印刷方式を取得する印刷方式取得ステップと、
前記印刷方式取得ステップにより取得された印刷方式と、前記印刷設定ステップにより設定された印刷指定とに基づいて、所定数の画像を印刷するのに必要な処理内容を決定する処理内容決定ステップとを更に有し、
前記印刷完了判定ステップでは、前記電源状態検出ステップで検出された電源の状態と、前記処理内容決定ステップで決定された処理内容とに基づいて、前記電源の状態が、前記印刷設定ステップで指定された印刷指定を完了できるか否かを判定することを特徴とする請求項９に記載の印刷制御方法。
【請求項１１】
前記印刷設定ステップにより設定された印刷指定の設定内容を取得する設定内容取得ステップと、
前記設定内容取得ステップにより取得された印刷指定の設定内容に基づいて、所定数の画像を印刷するのに必要な処理内容を決定する処理内容決定ステップとを更に有し、
前記印刷完了判定ステップでは、前記電源状態検出ステップで検出された電源の状態と、前記処理内容決定ステップで決定された処理内容とに基づいて、前記電源の状態が、前記印刷設定ステップで設定された印刷指定を完了できるか否かを判定することを特徴とする請求項９に記載の印刷制御方法。
【請求項１２】
前記印刷完了判定ステップによる判定の結果、前記電源の状態が、前記印刷設定ステップで設定された印刷指定を完了できないと判定された場合に、前記印刷設定ステップで設定された印刷指定のうち、完了できる印刷指定に自動的に再設定する自動再設定ステップを更に有することを特徴とする請求項９乃至１１のいずれか１項に記載の印刷制御方法。
【請求項１３】
前記印刷完了判定ステップによる判定の結果、前記電源の状態が、前記印刷設定ステップで設定された印刷指定を完了できないと判定された場合に、前記印刷設定ステップで設定された印刷指定のうち、完了できる印刷指定の範囲内で印刷指定の再設定を要求する再設定要求ステップを更に有することを特徴とする請求項９乃至１１のいずれか１項に記載の印刷制御方法。
【請求項１４】
前記印刷設定ステップで設定された印刷指定を完了できないと判定された場合に、前記電源状態検出ステップで検出された電源の状態に基づいて、前記印刷設定ステップで設定された印刷指定のうち１枚以上の印刷が可能であるか否かを判定する印刷可能判定ステップを更に有し、
前記印刷可能判定ステップにより１枚以上の印刷が可能であると判定された場合に、前記自動再設定ステップにおいて完了できる印刷指定に自動的に再設定することを特徴とする請求項１２に記載の印刷制御方法。
【請求項１５】
前記印刷設定ステップで設定された印刷指定を完了できないと判定された場合に、前記電源状態検出ステップで検出された電源の状態に基づいて、前記印刷設定ステップで設定された印刷指定のうち１枚以上の印刷が可能であるか否かを判定する印刷可能判定ステップを更に有し、
前記印刷可能判定ステップにより１枚以上の印刷が可能であると判定された場合に、前記再設定要求ステップにおいて完了できる印刷指定の範囲内で印刷指定の再設定を要求することを特徴とする請求項１３に記載の印刷制御方法。
【請求項１６】
請求項９乃至１５のいずれか１項に記載の印刷制御方法をコンピュータに実行させるためのプログラム。
【請求項１７】
請求項１６に記載のプログラムをコンピュータに読み取り可能に記憶したことを特徴とするコンピュータ読み取り可能な記憶媒体。
【請求項１８】
所定数の画像を視認可能に印刷処理するための印刷制御装置であって、
印刷を行うための電源の状態を検出する電源状態検出手段と、
第１印刷ジョブを格納する格納手段と、
前記電源状態検出手段で検出された電源の状態に基づいて、前記第１印刷ジョブを変更して第２印刷ジョブを作成する作成手段と、
前記作成手段により作成された前記第２印刷ジョブを前記格納手段に格納させる制御手段とを有することを特徴とする印刷制御装置。
【請求項１９】
前記作成手段は、前記第１印刷ジョブを分割することを特徴とする請求項１８に記載の印刷制御装置。
【請求項２０】
前記作成手段は、前記電源の状態に基づいて、前記第１印刷ジョブに指定される印刷が完了できない場合に、前記第２印刷ジョブとして、印刷完了できない少なくとも１画像の印刷指定を含むジョブを作成することを特徴とする請求項１８又は１９に記載の印刷制御装置。
【請求項２１】
所定数の画像を視認可能に印刷処理するための印刷制御装置の印刷動作を制御する印刷制御方法であって、
印刷を行うための電源の状態を検出する電源状態検出ステップと、
第１印刷ジョブを記憶媒体に格納する第１印刷ジョブ格納ステップと、
前記電源状態検出ステップで検出された電源の状態に基づいて、前記第１印刷ジョブを変更して第２印刷ジョブを作成する作成ステップと、
前記作成ステップにより作成された前記第２印刷ジョブを前記記憶媒体に格納する第２印刷ジョブ格納ステップとを有することを特徴とする印刷制御方法。
【請求項２２】
前記作成ステップでは、前記第１印刷ジョブを分割することを特徴とする請求項２１に記載の印刷制御方法。
【請求項２３】
前記作成ステップでは、前記電源の状態に基づいて、前記第１印刷ジョブに指定される印刷が完了できない場合に、前記第２印刷ジョブとして、印刷完了できない少なくとも１画像の印刷指定を含むジョブを作成することを特徴とする請求項２１又は２２に記載の印刷制御方法。
【請求項２４】
所定数の画像を視認可能に印刷処理するための印刷制御装置の印刷動作を制御する印刷制御方法をコンピュータに実行させるためのプログラムであって、
印刷を行うための電源の状態を検出する電源状態検出ステップと、
第１印刷ジョブを記憶媒体に格納する第１印刷ジョブ格納ステップと、
前記電源状態検出ステップで検出された電源の状態に基づいて、前記第１印刷ジョブを変更して第２印刷ジョブを作成する作成ステップと、
前記作成ステップにより作成された前記第２印刷ジョブを前記記憶媒体に格納する第２印刷ジョブ格納ステップとをコンピュータに実行させるためのプログラム。
【請求項２５】
請求項２４に記載のプログラムをコンピュータに読み取り可能に記憶したことを特徴とするコンピュータ読み取り可能な記憶媒体。
【手続補正２】
【補正対象書類名】明細書
【補正対象項目名】０００６
【補正方法】変更
【補正の内容】
【０００６】
本発明の印刷制御装置は、所定数の画像を視認可能に印刷処理する印刷手段を備えた印刷装置の印刷動作を制御する印刷制御装置であって、前記画像に対する印刷指定を設定する印刷設定手段と、前記印刷設定手段により設定された印刷指定を行うための電源の状態を検出する電源状態検出手段と、前記電源状態検出手段で検出された電源の状態に基づいて、前記印刷設定手段で設定された印刷指定を完了できるか否かを判定する印刷完了判定手段と、前記印刷完了判定手段による判定の結果、前記電源の状態が、前記印刷設定手段で設定された印刷指定を完了できると判定された場合に、前記印刷装置に前記画像の印刷処理を開始させる制御手段とを有する。
【手続補正３】
【補正対象書類名】明細書
【補正対象項目名】０００７
【補正方法】変更
【補正の内容】
【０００７】
本発明の印刷制御装置における他の態様は、所定数の画像を視認可能に印刷処理するための印刷制御装置であって、印刷を行うための電源の状態を検出する電源状態検出手段と、第１印刷ジョブを格納する格納手段と、前記電源状態検出手段で検出された電源の状態に基づいて、前記第１印刷ジョブを変更して第２印刷ジョブを作成する作成手段と、前記作成手段により作成された前記第２印刷ジョブを前記格納手段に格納させる制御手段とを有する。
【手続補正４】
【補正対象書類名】明細書
【補正対象項目名】０００８
【補正方法】変更
【補正の内容】
【０００８】
本発明の印刷制御方法は、所定数の画像を視認可能に印刷処理する印刷手段を備えた印刷装置の印刷動作を制御する印刷制御方法であって、前記画像に対する印刷指定を設定する印刷設定ステップと、前記印刷設定ステップにより設定された印刷指定を行うための電源の状態を検出する電源状態検出ステップと、前記電源状態検出ステップで検出された電源の状態に基づいて、前記印刷設定ステップで設定された印刷指定を完了できるか否かを判定する印刷完了判定ステップと、前記印刷完了判定ステップによる判定の結果、前記電源の状態が、前記印刷設定ステップで設定された印刷指定を完了できると判定された場合に、前記印刷装置に前記画像の印刷処理を開始させる制御ステップとを有する。
【手続補正５】
【補正対象書類名】明細書
【補正対象項目名】０００９
【補正方法】変更
【補正の内容】
【０００９】
本発明の印刷制御方法における他の態様は、所定数の画像を視認可能に印刷処理するための印刷制御装置の印刷動作を制御する印刷制御方法であって、印刷を行うための電源の状態を検出する電源状態検出ステップと、第１印刷ジョブを記憶媒体に格納する第１印刷ジョブ格納ステップと、前記電源状態検出ステップで検出された電源の状態に基づいて、前記第１印刷ジョブを変更して第２印刷ジョブを作成する作成ステップと、前記作成ステップにより作成された前記第２印刷ジョブを前記記憶媒体に格納する第２印刷ジョブ格納ステップとを有する。
【手続補正６】
【補正対象書類名】明細書
【補正対象項目名】００１０
【補正方法】変更
【補正の内容】
【００１０】
本発明のプログラムは、前記印刷制御方法をコンピュータに実行させる。
【手続補正７】
【補正対象書類名】明細書
【補正対象項目名】００１１
【補正方法】変更
【補正の内容】
【００１１】
本発明のコンピュータ読み取り可能な記憶媒体は、前記プログラムをコンピュータに読み取り可能に記憶する。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】